(57)【要約】【課題】過酷な環境下の使用でも作動不良を生じないようにして品質を向上する。【解決手段】ハウジング２に対し進退可能に配置したカム溝５付きの摺動体３０と、ばね部材４５と、摺動体３０に枢支され先端側爪３９を突出して被係脱部材６２を係止可能にする係止位置と該摺動体内に収まる係止解除位置とに揺動切り換えられる係合体３７と、ピン部材６とを備え、摺動体３０が押圧されてばね部材４５の付勢に抗して移動されると、移動後の位置にカム溝５及びピン部材６を介して保持され、かつ係合体３７が係止解除位置から係止位置に切り換えられるラッチ装置１において、摺動体３０がばね部材４５の付勢に抗して移動される過程で、互いに当接して係合体３７を係止解除位置から係止位置に切換可能にする当接部３７ｃ及びテーパー面２０ｄを、係合体３７のうち揺動中心３８ｃより爪３９に近い箇所側とハウジング２の対応部とに異なる一方をそれぞれ設けた。【選択図】図１
2007120147.tif 000002
【特許請求の範囲】
【請求項１】
ハウジングと、前記ハウジングに対し進退可能に配置したカム溝付きの摺動体と、前記摺動体を前記ハウジングから突出する方向へ付勢しているばね部材と、前記摺動体に枢支されて、先端側の爪を該摺動体内から突出して被係脱部材を係止可能にする係止位置と該摺動体内にほぼ収まる係止解除位置とに揺動切り換えられる係合体と、前記カム溝をトレースするピン部材とを備え、前記摺動体が押圧されて前記ばね部材の付勢力に抗して移動されると、その移動後の位置に前記カム溝及びピン部材を介して保持され、かつ前記係合体が係止解除位置から係止位置に切り換えられるラッチ装置において、
前記摺動体が前記ばね部材の付勢力に抗して移動される過程で、互いに当接して前記係合体を係止解除位置から係止位置に切換可能にするための当接部及びテーパー面を、前記係合体のうち揺動中心より前記爪に近い箇所側と前記ハウジングの対応部とに異なる一方をそれぞれ設けていることを特徴とするラッチ装置。
【請求項２】
前記摺動体が前記ばね部材の付勢力を前記係合体を介して受けるとともに、前記係合体が前記ばね部材の付勢力により係止解除位置から係止位置に切換可能となり、かつ前記当接部及びテーパー部との関係によって係止解除位置から係止位置に機械的に切り換えられる請求項１に記載のラッチ装置。
【請求項３】
前記係合体が前記被係脱部材を係止する係止位置に切り換えられた状態で、前記被係脱部材等を介して係止解除方向への所定大の負荷を受けたとき、前記ばね部材の付勢力に抗して係止位置から係止解除位置方向に切換可能となる請求項１又は２に記載のラッチ装置。
【請求項４】
前記係合体が前記爪を突出している側と反対側の背面側に前記当接部として、略断面三角形状の突起を形成しているとともに、前記ハウジングが入口側に前記テーパー面を形成している請求項１から３の何れかに記載のラッチ装置。
【発明の詳細な説明】
【技術分野】
【０００１】
本発明は、第１部材（例えば、箱状基体）に第２部材（例えば、蓋等の可動体）を着脱可能に係止するようなときに用いられるラッチ装置のうち、特に最初の押し操作により第２部材側の被係脱部材を係止し、次の押し操作により係止解除するプッシュ・プッシュ係止機構（これはプッシュロック・プッシュオープン機構と称されることもある、以下、同じ）に好適なラッチ装置に関するものである。
【背景技術】
【０００２】
図５は特許文献１に開示されているラッチ装置を示している。同図のラッチ装置は、ハウジング２と、被係脱部材であるストライカー６２と当接する突当部３２及びカム溝５を有し、ハウジング２内に配置されてばね部材４５の付勢力に抗して押圧移動される摺動体３０と、先端側の爪３９及び基端側のピン３８ｃを有し、摺動体３０に枢支されている係合体３７と、カム溝５に沿ってトレースするピン部材６とを備えている。このうち、係合体３７は、摺動体３０の対応部に対し上下中間より下側に設けられた軸部３７ａを嵌合した状態で枢支されて、摺動体３０の位置移動により、同（ａ）のごとく摺動体３０内にほぼ収まった係止解除位置と、同（ｂ）のごとく爪３９を摺動体３０内から突出してストライカー６２を押さえる係止位置とに切り換えられる。係止解除位置では、摺動体３０がばね部材４５の付勢力（この付勢力は係合体３７を介して受ける）でハウジング２の入口側に移動され、係合体３７がハウジング２内に設けられたリブ２８にピン３８ｃを乗り上げることでその状態を保つ。係止位置では、摺動体３０がストライカー６２の押し力によりばね部材４５の付勢力に抗して奥側に移動され、該移動後の位置にカム溝５及びピン部材６の係合を介し維持され、係合体３７がピン３８ｃをリブ２８の張出部から低くなった部分に移動し、かつ傾動して爪３９を摺動体３０内から突出する。すなわち、以上のラッチ装置は、係合体３７が摺動体３０に対するストライカー６２の押し力により係止解除位置から係止位置に切り換えられ、摺動体３０に対するストライカー６２の次の押し力により係止解除する、いわゆるプッシュ・プッシュ係止機構からなる。なお、前記ばね部材４５は、上側が係合体３７の下側中間に設けられた突片部（図４を参照）に係止されており、摺動体３０が奥へ押圧移動される過程で付勢力を増大し、係合体３７を係止位置方向へ揺動可能にする。このような構造は特許文献２のラッチ装置でも同様である。
【０００３】
【特許文献１】特開２００４−１３７７２５号公報
【特許文献２】特開２００１−２６２９１５号公報
【発明の開示】
【発明が解決しようとする課題】
【０００４】
上記したようなラッチ装置は、色々な装置や設備などに利用されているが、例えば、超低温と言うような過酷な環境下での使用において次のような作動不良を生じる虞があることが分かった。この作動不良は、摺動体３０が図５（ａ）の初期状態から（ｂ）の押し込め方向へ移動されても、係合体３７が設計通りに揺動して係止位置に切り換えられず、摺動体３０内にほぼ収まっている係止解除位置に維持されるという現象である。この現象は、例えば、係合体３７の枢支部（軸部３７ａと軸穴）が超低温におかれると摺動抵抗を増大し、揺動し難くなることが発生要因の一つである。
【０００５】
上記の対策として、本出願人らは特願２００４−２０１０５０号の技術を工夫した。この技術は、係合体が前記した基端側のピン３８ｃを当接して係止位置から係止解除位置に切換可能にする前記したハウジング側のリブ２８と共に、摺動体の押圧移動により前記ピンと当接して係合体を係止解除位置から係止位置に機械的に切り換えるハウジング側のテーパー面や凸状カムなどを有している構成である。しかし、この構成では、摺動体がハウジング内の最終退避付近まで押圧移動されないと係合体を係止位置へ切換可能にならないこと、テーパー面やカム勾配が急となる関係で切換作動時の感触やフィリング性に欠けることが分かった。そこで、本発明の目的は、以上のような不具合を解消し、安定した切換作動や感触を維持しながら過酷な使用環境下での作動不良を防いで、品質を向上して更なる用途拡大を図ることにある。
【課題を解決するための手段】
【０００６】
上記目的を達成するため本発明は、ハウジングと、前記ハウジングに対し進退可能に配置したカム溝付きの摺動体と、前記摺動体を前記ハウジングから突出する方向へ付勢しているばね部材と、前記摺動体に枢支されて、先端側の爪を該摺動体内から突出して被係脱部材を係止可能にする係止位置と該摺動体内にほぼ収まる係止解除位置とに揺動切り換えられる係合体と、前記カム溝をトレースするピン部材とを備え、前記摺動体が押圧されて前記ばね部材の付勢力に抗して移動されると、その移動後の位置に前記カム溝及びピン部材を介して保持され、かつ前記係合体が係止解除位置から係止位置に切り換えられるラッチ装置において、前記摺動体が前記ばね部材の付勢力に抗して移動される過程で、互いに当接して前記係合体を係止解除位置から係止位置に切換可能にするための当接部及びテーパー面を、前記係合体のうち揺動中心より前記爪に近い箇所側と前記ハウジングの対応部とに異なる一方をそれぞれ設けていることを特徴としている。
【０００７】
以上の本発明は次のように具体化されることがより好ましい。
・前記摺動体が前記ばね部材の付勢力を前記係合体を介して受けるとともに、前記係合体が前記ばね部材の付勢力により係止解除位置から係止位置に切換可能となり、かつ前記当接部及びテーパー部との関係によって係止解除位置から係止位置に機械的に切り換えられる構成である（請求項２）。
・前記係合体が前記被係脱部材を係止する係止位置に切り換えられた状態で、前記被係脱部材等を介して係止解除方向への所定大の負荷を受けたとき、前記ばね部材の付勢力に抗して係止位置から係止解除位置方向に切換可能となる構成である（請求項３）。
・前記係合体が前記爪を突出している側と反対側の背面側に前記当接部として、略断面三角形状の突起を形成しているとともに、前記ハウジングが入口側に前記テーパー面を形成している（請求項４）。
【発明の効果】
【０００８】
・請求項１の発明では、摺動体がハウジング内にばね部材の付勢力に抗して押圧移動されると、係合体が当接部とテーパー面との圧接及び一方が他方を乗り越えることにより、係止解除位置から係止位置に機械的ないしは強制的に切換可能となる。このため、課題に挙げたような作動不良を確実に解消でき、しかも係合体のうち揺動中心より前記爪に近い箇所側に当接部及びテーパー面の一方を設けて、係合体の係止位置への切り換えを機械的に行うため良好な切換作動を実現でき、感触やフィリーング性を損なうこともなくなって品質を向上できる。
・請求項２の発明では、係合体の係止位置への切り換えが従来と同様にばね部材の付勢力で行われ、加えて当接部とテーパー面を介しても機械的ないしは強制的に行われる点から、作動切換特性として使用環境の影響を受けないようにして信頼性を向上できる。
・請求項３の発明では、例えば、係合体が被係脱部材を係止している図１（ｂ）の係止位置において、被係脱部材に引き抜き方向の所定大の負荷が加わったとき、係合体がばね部材の付勢力に抗して係止位置から係止解除位置方向に揺動されるため、装置が不用意に破損する虞を解消できる。
・請求項４の発明では、係合体の背面上側に当接部として断面三角形状の突部を、ハウジングの入口側にテーパー面を設けるため何れも簡単に形成でき、また断面三角形状の突部をテーパー面に当接するため良好な作動を実現できる。
【発明を実施するための最良の形態】
【０００９】
図１〜図４は発明形態のラッチ装置を示し、図１はラッチ装置を係合体の係止位置で示し、同（ａ）は上面図、同（ｂ）は（ａ）のＡ−Ａ線に沿って断面した図、同（ｃ）は下面図である。図２はラッチ装置を係合体の係止解除位置で示す断面図、図３は要部作動を示す断面図、図４は概略分解図である。なお、各図において、図５のラッチ装置と同じか類似する部材及び部位に同一符号を付している。以下の説明では、ラッチ装置の構造、組立、作動の順に詳述する。
【００１０】
（構造）形態例のラッチ装置１は、被係脱部材であるストライカー６２を一端開口より挿入可能なハウジング２と、摺動体３０に係合体３７を枢支したラッチ部材３と、一端側を支点として上下動する応動体４と、ラッチ部材３をハウジング２の一端開口側へ付勢するばね部材４５と、該応動体４０を付勢する付勢部材４６とを備えている。そして、ラッチ装置１は、例えば、図２の一点鎖線に示した箱状基体側に取り付けられ、可動体６１に設けられているストライカー６２を係脱する。また、ラッチ装置１は、例えば、可動体６１が付勢力に抗して閉位置方向へ押されると、該可動体６１をストライカー６２を介して係止し、更に可動体６１が同方向へ押されると、ストライカー６２に対する係止を解除するプッシュ・プッシュ係止機構からなる。
【００１１】
なお、応動体４及び付勢部材４６は、ラッチ装置１が振動を受け易いような仕様に採用されて、振動等により誤作動を生じないようにするＧセンサと称されているものであるが、省略してもよい。また、ラッチ装置１は、蓋や扉等の可動体側に取り付けて、基体側に設けられている被係脱部材を係脱する態様でもよい。
【００１２】
ハウジング２は、図１と図４のごとく内部が前後壁２０，２１と、両側壁２２と、底壁２３とで概略区画されて、一端側つまり上側を開口した筒形となっている。このうち、前壁２０には、左右中間に位置してラッチ部材３（摺動体３０）の摺動範囲を規制するガイド溝２０ａと、前壁内面にあってガイド溝２０ａの少し上側に設けられたテーパー面２０ｄと、前壁２０の内面両側に突設されてラッチ部材３（係合体３７）を係止解除方向へ揺動可能にするリブ２８とが設けられている。リブ２８は、図２のごとく最も高くなった平坦状張出部分と、該張出部分の上下部に接続されて次第に低くなっている傾斜部分とからなる。テーパー面２０ｄは、本発明の要部の一つであり、図３のごとく下に行くほどハウジング内へ張り出した傾斜面として形成されている。換言すると、このテーパー面２０ｄは、ハウジング２の入口側付近に設けられて、下に行くほどハウジング内に大きく張り出した下向き傾斜となっている。
【００１３】
なお、符号２０ｂは前記したリブ２８を形成するための肉逃げ用凹部である。後壁２１の内面には、規制用縦リブ２９（図２を参照）がピン部材６のＵ形に対応して対に突設されている。縦リブ２９は、底壁２３から上下中間位置付近まで延び、又、下側が一段大きく張り出した状態に設けられて、ピン部材６のＵ形両側部６ｂを両側壁２２の対応内側面との間に位置規制する。両側壁２２には、スリットで区画されて上側を外へ張り出している取付用弾性係止爪２７が設けられている。両側壁２２の内面には、上下方向に延びている凹部２２ｂ及びガイド凹部２２ｃがそれぞれ対向して設けられている。
【００１４】
また、ハウジング２は、筒形上外周が一段張り出していると共に、下側にあって前壁２０側に開口しかつ両側壁２２の一部２５ａを欠如した状態で区画形成された応動体用の小枠部２５を有している。そして、底壁２３は、欠如された一部２５ａが段差となっていると共に、一部２５ａの上側が型抜き用小穴２４ａを介してハウジング内に連通されている。このため、底壁２３は、図１（ｃ）のごとくその２箇所の小穴２４ａと、後両側に貫通された略Ｌ形のピン挿通穴２４ｂと、両ピン挿通穴２４ｂの間に小スリットを介し区画形成された弾性挟持片２３ａ，２３ｂと、各ピン挿通穴２４ｂと前記小スリットの間に形成されているピン受け部などが設けられている。ピン挿通穴２４ｂは、ピン部材６の線径よりも若干大きな穴幅からなり、略Ｕ形のピン部材６をこの穴からハウジング１内へ挿入可能にする。そして、弾性挟持片２３ａ，２３ｂにはピン部材６が揺動可能に枢支される。すなわち、このピン部材６は、枢支されるＵ形中間部６ａと、Ｕ形両側部６ｂと、各両側部６ｂの自由端側を内側に折り曲げた先端６ｃとからなる。
【００１５】
小枠部２５の内側は、前から奥側がハウジング内に連通しており、底面に設けられて付勢部材４６を位置決めするばね受け用凹所と、枠内の上面を区画しかつハウジング内に支持軸２６ａを突設している水平壁２６とを有している。また、欠如された一部２５ａの上側はハウジング２内に穴２４ａを介して連通されている。そして、小枠部２５には、応動体４が揺動可能に配置されると共に、該応動体４の下側凹所と前記ばね受け用凹所との間に付勢部材４６が配置される。なお、応動体４は、小ブロック状であり、小枠部２５の内側上面に当接する突き当て部４１と、摺動体３０の対応下面に当接する突出受け部４２と、小枠部２５の両側に設けられた軸穴に嵌合される軸部４３と、下面側のばね受け用凹所などを一体に形成している。
【００１６】
ラッチ部材３は摺動体３０及び係合体３７から構成されている。摺動体３０は、本体３１の背面側に突当部３２を有している。すなわち、本体３１は、上辺３３ａ及び両側辺３３ｂで概略コ形枠状に形成され、又、上辺３３ａと両側辺３３ｂで開口３３（図２を参照）を区画形成している。下側には、各側辺３３ｂに軸穴３３ｄが貫通した状態で設けられていると共に、両側辺３３ｂの間に筒部３４が付設されている。筒部３４は、筒内が上記した支持軸２６ａ及びばね部材４５の上側を遊嵌可能な孔であり、又、上記したガイド溝２０ａと嵌合される突起３４ｂを有している。突当部３２は、ストライカー６２が当接する水平壁部と、該水平壁部の左右中間から下へ延びている縦壁部とからなる。前記水平壁部は、両側が本体３１より少し外へ突出しており、ハウジング２のガイド凹部２２ｃに嵌合された状態で摺動される。前記縦壁部は両側にハート形のカム溝５を有している。前記両側のカム溝５は、ほぼ同形であり、前記縦壁部の略中央部に突設している凸状カム島３５と、前記縦壁部の下両側に張り出している翼片部３６ａ等により区画形成されている。溝形状は、図２のごとく下側から右上側へ延びる誘導溝５ａと、誘導溝５ａの上側に位置して左右に別れている係止用誘導溝５ｂ及び解除用誘導溝５ｄと、誘導溝５ｂ，５ｄの間の下側に位置した凹状係止溝５ｃと、誘導溝５ｄから下側へ延びる復帰溝５ｅなどからなっている。
【００１７】
これに対し、係合体３７は、本体３８及び爪３９並びに上記した当接部である突起３７ｃとからなり、爪３９を開口３３内に位置した状態で、突起３７ｃを除いて全体が本体３１の上辺３３ａ及び両側辺３３ｂの間に配置される。すなわち、本体３８は、上部３８ａが爪３９を突設し、下部３８ｂが中間部を欠如している。上部３８ａは、本体３１のコ形枠状内に配置されると、爪３９が開口３３に入る。下部３８ｂは、上部３８ａから延びた２本の片状となっており、各下部３８ｂの外面にあって、上下略中間に設けられた軸部３７ａと、下端側面に設けられたピン３８ｃとを有している。両下部３８ｂの間には、前記した筒部３４内に入る突片部３７ｂが設けられている。突起３７ｃは、本体３８のうち、爪３９と反対側つまり本体背面の左右中間側にあって、軸部３７ａより上側に断面略三角形状に設けられている。
【００１８】
（組立）以上の各部材は、例えば、係合体３７がまず摺動体３０に組み付けられる。この作業では、図４の状態から軸部３７ａを側辺３３ｂの内側から軸穴３３ｄに押し込める。すると、係合体３７は、軸部３７ａを支点として、所定範囲だけ回動ないしは揺動可能に枢支され、爪３９が図２のごとく開口３３内に収まった係止解除状態と、図１（ｂ）のごとく前記した開口３３内から突出されてストライカー６２の凸部又は爪を上から押さえる係止状態とに切換可能となる。また、応動体４は、小枠部２５に対し付勢部材４６と共に枠内からハウジング内に配置され、かつ、両側の軸部４３が対応する前記した軸穴に嵌合枢支した状態で上下揺動可能に組み付けられる。
【００１９】
次に、以上の係合体３７付きの摺動体３０、つまりラッチ部材３はハウジング２内に組み付けられる。この作業では、予め、ばね部材４５を支持軸２６ａに軸装し、ピン部材６を底壁２３に揺動可能に保持した状態にしてそれぞれハウジング２内に配置しておくことが好ましい。ピン部材６は、両側の先端６ｃを各ピン挿通穴２４ｂからハウジング内に挿入してから、Ｕ形中間部６ａを弾性挟持片２３ａ，２３ｂ側に強制的に移動することにより、弾性挟持片２３ｂと弾性挟持片２３ａとの間に挟持される。この挟持状態では、ピン部材６がハウジング２内に起立保持され、Ｕ形両側部６ｂが規制用縦リブ２９と対応内側面との間に位置規制されている。そして、ピン部材６は、両側の先端６ｃを各ピン挿通穴２４ｂからハウジング内に挿入してから、Ｕ形中間部６ａを弾性挟持片２３ａ，２３ｂ側に強制的に移動することにより、弾性挟持片２３ｂと弾性挟持片２３ａとの間に挟持される。この挟持状態では、ピン部材６がハウジング２内に起立保持され、Ｕ形両側部６ｂが規制用縦リブ２９と対応内側面との間に位置規制されている。また、ラッチ部材３は、ハウジング２内に押し入れられると、突起３４ｂがテーパー面２０ｄからガイド溝２０ａに落ち込んで嵌合されたときに、ハウジング２に対し抜け止めされて組み付けられる。このラッチ部材３の押し込み過程では、ばね部材４５の上側が筒部３４内に入り、係合体３７の突片部３７ｂに当接する。そして、ばね部材５０は、摺動体３０が奥へ押圧移動される過程で付勢力を増大し、該付勢力によって係合体３７を軸部３７ａを支点として係止位置方向へ揺動可能にする。又、ピン部材６の両先端６ｃが対応するカム溝５の溝入口（復帰溝５ｅより下側へ延びる溝）に入る。
【００２０】
（作動）以上のようにして、組立られたラッチ装置１は、上から見たときに、係合体３７の爪３９が目視不能な状態、つまり係止解除状態となっている。なお、使用態様としては、例えば、可動体６１のストライカー６２に対応して箱状基体の適位置に弾性係止爪２７等を介し取り付けられる。取付状態において、ラッチ装置１は、図２のごとくラッチ部材３がばね部材４５により付勢移動（この移動は突起３４ｂがガイド溝２０ａの上端面に当たることで規制される）され、又、爪３９が開口３３内に入る方向へ揺動（この揺動はピン３８ｃがリブ２８の最も高くなった箇所に乗り上げることで行われる）されている。この状態は「ラッチ部材３の係止解除位置」である。そして、ラッチ部材３は、ストライカー６２によりばね部材４５の付勢力に抗して図２の矢印方向へ押圧されると、図３のごとく押圧移動の初期過程で係合体３７の突起３７ｃがハウジング側のテーパー面２０ｄに当接し、該当接による反力により係合体３７が軸部３７ａを支点として係合位置方向へ機械的に揺動され、又、突起３７ｃがテーパー面２０ｄを弾性的に乗り越えるとほぼ同時にストライカー６２の先端を爪３９を介して抜け止めする。そして、ラッチ部材３は、図１のごとくピン部材６の各先端６ｃが摺動体３０及び係合体３７の下移動によって上記した誘導溝５ａから係止用誘導溝５ｂに入り、ラッチ部材３に対する押圧力を解放したときに、係止溝５ｃに係止される。この係止により、可動体６１は閉位置に保持（ロック）される。
【００２１】
以上の係止状態から図２の解除状態に再び切り換えるときは、ラッチ部材３をストライカー６２などを介し再び押し、該押し力を解放する（押した手を離す）。すると、ピン部材６の両先端６ｃは、上記した係止溝５ｃから解除用誘導溝５ｄ、復帰溝５ｅを経て再び誘導溝５ａから溝入口に戻り、同時に、ラッチ部材３（摺動体３０と係合体３７）が当初の解除位置に切り換えられる。なお、以上のラッチ装置１では、使用状態において、上下方向などの振動荷重を受けると、ラッチ部材３があたかも下向きに押圧された状態となり、誤作動により係止解除される虞がある。この構造では、そのような誤作動を次のような作動により防ぐことができる。すなわち、この構造では、振動荷重を受けると、応動体４が付勢部材４６の付勢力に抗して軸部４３を支点として一方向（この例では反時計回り）へ回動され、該回動に伴って突出受け部４２の位置を変更し、該突出受け部４２に摺動体３０の側辺３３ｂ下端面を受け止めることで、摺動体３０の下移動が阻止される。この結果、ピン６の先端６ｃが係止溝５ｃから解除用誘導溝５ｄに摺動して、係止溝５ｃから不用意に係止解除されないようにする。
【００２２】
ところで、従来のラッチ装置では、寒冷地等の過酷な環境下で用いられると、課題に挙げたように係合体３７が枢支部（軸部３７ａと軸穴３３ｄとの嵌合）を支点として揺動し難くなって正常な係止作動、つまり係止解除状態から係止状態に切り換えられなくなる虞があった。しかし、以上の構造では、摺動体３０がストライカー６２により図３の矢印方向へ押圧されると、上述したように押圧移動の初期過程で係合体３７の突起３７ｃがハウジング側のテーパー面２０ｄに当接し、係合体３７がその当接による反力で軸部３７ａを支点として係止位置方向へ揺動される。換言すると、係合体３７は、摺動体３０の押圧移動によって突起３７ｃがハウジング側のテーパー面２０ｄに当接し、該テーパー面２０ｄのガイド作用（テーパー面から受ける反力）により略起立した状態から、軸部３７ａを支点として斜めに揺動されて係止位置に機械的に切り換えられる。従って、この構造では、係合体３７の係止解除位置から係止位置への切り換え及び係止位置から係止解除位置への切り換えが共に機械的ないしは強制的に行われるため、課題に挙げたような用途が過酷な環境下という仕様でも誤作動や作動不良を生じなく、それにより作動特性の信頼性を向上できる。また、この構造では、係合体３７がストライカー６２を係止している図１（ｂ）の係止位置において、ストライカー６２側に引き抜き方向の所定大の負荷が加わったときに、係合体３７が枢支部（軸部３７ａと軸穴３３ｄとの嵌合）を支点として、かつ、突起３７ｃが逃げ部として作用するガイド溝２０ａの溝内に入り込むことにより、ばね部材の付勢力に抗して係止位置から係止解除位置方向に揺動される。このため、ラッチ装置は不用意に破損等されることもなくなる。
【００２３】
なお、本発明は以上の形態に何ら制約されることなく、請求項１で特定される要件を備えておれば、必要に応じて種々変更可能なものである。一例としては、係合体側にテーパー面を形成し、当接部としての突起をそのテーパー面に対応してハウジング側に設けるようにしてもよい。
【図面の簡単な説明】
【００２４】
【図１】本発明形態のラッチ装置を係止位置で示す構成図である。
【図２】図１のラッチ装置を係止解除位置で示す構成図である。
【図３】図１のラッチ装置の要部作動を模式的に示す作動図である。
【図４】上記ラッチ装置の部材同士の関係を示す概略分解構成図である。
【図５】従来のラッチ装置例を係止解除位置及び係止位置で示す作動図である。
【符号の説明】
【００２５】
１…ラッチ装置（プッシュ・プッシュ係止機構）
２…ハウジング（２８はリブ）
３…ラッチ部材
５…カム溝
６…ピン部材
２０ｄ…テーパー面
３０…摺動体（３３は開口、３３ｄは軸穴）
３７…係合体（３７ａは軸部、３８ｃはピン、３９は爪）
３７ｃ…突起（当接部）
４５…ばね部材
６２…可動体側のストライカー（被係脱部材）
【図１】
2007120147.tif 000003
【図２】
2007120147.tif 000004
【図３】
2007120147.tif 000005
【図４】
2007120147.tif 000006
【図５】
2007120147.tif 000007